(57)【特許請求の範囲】
【請求項１】
割り当てインデックスフィールドを再利用することにより、バンドリングウィンドウごとにサブフレームの１又はそれ以上を動的にスケジューリングするステップと、
ｍを、前記バンドリングウィンドウ内の以前にスケジュールされた割り当ての数とし、ｘを整数とする、ｍ  ｍｏｄｕｌｏ  ｘに基づいて、現在の割り当てのために前記割り当てインデックスフィールドをラベル付けするステップと、
前記サブフレームのデータをインターリーブして無相関化を行うステップと、
を含み、
前記割り当てインデックスフィールドが、前記バンドリングウィンドウ内の以前に割り当てたサブフレームの個数以上の値を有し、
前記バンドリングウィンドウが、共通する確認応答のための一群のサブフレームを定め、
最後に受信したダウンリンク割り当てに関連する前記割り当てインデックスフィールドの値  ｍｏｄｕｌｏ  ｘを、前記最後に受信したダウンリンク割り当てよりも前のダウンリンク割り当ての総数  ｍｏｄｕｌｏ  ｘと比較し、
前記バンドリングウィンドウ内に少なくとも２つの同一の割り当てインデックスフィールド値が存在する場合、前記最後に受信したダウンリンクに関連する前記割り当てインデックスフィールドの値に整数ｘを加算し、
ｎを、前記バンドリングウィンドウ内の以前にスケジュールされた割り当ての数とし、ｘを整数とし、Ｋを前記バンドリングウィンドウ内の前記サブフレームに少なくとも２つのサブフレームが動的に割り当てられるかどうか示すためのブール値とする（Ｃｅｉｌ（ｎ／２）＋Ｋ）  ｍｏｄｕｌｏ  ｘに基づいて、現在の割り当てのために前記割り当てインデックスフィールドをラベル付けするステップをさらに含む、
ことを特徴とする方法。
【請求項２】
前記割り当てインデックスフィールドを初期化するステップと、
前記サブフレームの個数を前記割り当てインデックスフィールド内に表すステップと、
前記割り当てインデックスフィールドをスケジュール済みのサブフレームごとに更新するステップと、
をさらに含むことを特徴とする請求項１に記載の方法。
【請求項３】
前記割り当てインデックスフィールドがダウンリンク割り当てインデックスフィールドであり、ｘ＝４である、
ことを特徴とする請求項１に記載の方法。
【請求項４】
最後に受信したダウンリンク割り当てに関連する前記割り当てインデックスフィールドの値をダウンリンク割り当ての総数と比較する、
ことを特徴とする請求項１に記載の方法。
【請求項５】
所定の数のダウンリンク割り当てが失われており、前記動的スケジューリングが、前記バンドリングウィンドウに関連するサブフレームの最大数に基づいて行われる、
ことを特徴とする請求項４に記載の方法。
【請求項６】
割り当てインデックスフィールドを再利用することにより、バンドリングウィンドウごとにサブフレームの１又はそれ以上を動的にスケジュールするように構成されたロジックと、
前記サブフレームのデータをインターリーブして無相関化を行うように構成されたインターリーバと
を含み、
前記割り当てインデックスフィールドが、前記バンドリングウィンドウ内の以前に割り当てたサブフレームの個数以上の値を有し、
前記バンドリングウィンドウが、共通する確認応答のための一群のサブフレームを定め、
前記ロジックが、ｍを、前記バンドリングウィンドウ内の以前にスケジュールされた割り当ての数とし、ｘを整数とする、ｍ  ｍｏｄｕｌｏ  ｘに基づいて、現在の割り当てのために前記割り当てインデックスフィールドをラベル付けするように構成され、
最後に受信したダウンリンク割り当てに関連する前記割り当てインデックスフィールドの値  ｍｏｄｕｌｏ  ｘを、前記最後に受信したダウンリンク割り当てよりも前のダウンリンク割り当ての総数  ｍｏｄｕｌｏ  ｘと比較し、
前記バンドリングウィンドウ内に少なくとも２つの同一の割り当てインデックスフィールド値が存在する場合、前記最後に受信したダウンリンクに関連する前記割り当てインデックスフィールドの値に整数ｘを加算し、
前記ロジックが、ｎを、前記バンドリングウィンドウ内の以前にスケジュールされた割り当ての数とし、ｘを整数とし、Ｋを前記バンドリングウィンドウ内の前記サブフレームに少なくとも２つのサブフレームが動的に割り当てられるかどうか示すためのブール値とする（Ｃｅｉｌ（ｎ／２）＋Ｋ）  ｍｏｄｕｌｏ  ｘに基づいて、現在の割り当てのために前記割り当てインデックスフィールドをラベル付けするようにさらに構成された、
ことを特徴とする装置。
【請求項７】
前記ロジックが、
前記割り当てインデックスフィールドを初期化し、
前記サブフレームの個数を前記割り当てインデックスフィールド内に表し、
前記割り当てインデックスフィールドをスケジュール済みのサブフレームごとに対する更新する、
ようにさらに構成されたことを特徴とする請求項６に記載の装置。
【請求項８】
前記割り当てインデックスフィールドがダウンリンク割り当てインデックスフィールドであり、ｘ＝４である、
ことを特徴とする請求項６に記載の装置。
【請求項９】
最後に受信したダウンリンク割り当てに関連する前記割り当てインデックスフィールドの値をダウンリンク割り当ての総数と比較する、
ことを特徴とする請求項６に記載の装置。
【請求項１０】
所定の数のダウンリンク割り当てが失われており、前記動的スケジューリングが、前記バンドリングウィンドウに関連するサブフレームの最大数に基づいて行われる、
ことを特徴とする請求項９に記載の装置。
【発明の詳細な説明】
【背景技術】
【０００１】
無線データネットワーク（例えば、第３世代パートナーシッププロジェクト（３ＧＰＰ）ロングタームエボリューション（ＬＴＥ）システム、（符号分割多元接続（ＣＤＭＡ）ネットワークなどの）スペクトル拡散システム、時分割多元接続（ＴＤＭＡ）ネットワーク、ＷｉＭＡＸ（ワールドワイド・インターオペラビリティ・フォー・マイクロウェーブ・アクセス）、その他）などの無線通信システムは、豊富なサービス及び機能のセットとともにモビリティという利便性をユーザに提供する。この利便性により、ますます多くの消費者が、ビジネス及びパーソナルユースに受け入れられる通信モードとしてこれらを大いに採用するようになってきた。さらに多くの採用を促すために、電気通信産業は、製造者からサービスプロバイダに至るまで、様々なサービス及び機能の基礎となる通信プロトコルの規格を莫大な費用及び努力をかけて開発することに同意してきた。１つの努力分野は、送信信号の受信を暗黙的に又は明示的に確認してデータ送信を成功させるための確認応答シグナリングに関するものである。非効率的な確認応答スキームは、ネットワークリソースを不必要に消費する可能性がある。
【先行技術文献】
【特許文献】
【０００２】
【非特許文献１】３ＧＰＰ  ＴＲ２５．８１４  第１．５．０版「進化型ＵＴＲＡ用の物理層側面」
【非特許文献２】３ＧＰＰ  ＬＴＥ「３ＧＰＰ無線技術のロングタームエボリューション」
【非特許文献３】３ＧＰＰ  ＴＲ２５．８１３「Ｅ−ＵＴＲＡ及びＥ−ＵＴＲＡＮ：無線インターフェイスプロトコルの態様」
【非特許文献４】３ＧＰＰ  ＴＲ２３．８８２
【発明の概要】
【発明が解決しようとする課題】
【０００３】
したがって、すでに開発済みの規格及びプロトコルと共存できる効率的なシグナリングを実現する方法が必要とされている。
【課題を解決するための手段】
【０００４】
ある例示的な実施形態によれば、ダウンリンク割り当てインデックス（ＤＡＩ）フィールドをＤＡＩフィールドの長さを増やさず再利用することにより、（アップリンク／ダウンリンク（ＵＬ／ＤＬ）などの）様々な通信リンク構成に確認応答バンドリングを提供することができる。
【０００５】
１つの実施形態によれば、方法が、割り当てインデックスフィールドを再利用することにより、バンドリングウィンドウごとにサブフレームの１又はそれ以上を動的にスケジュールするステップを含む。割り当てインデックスフィールドは、バンドリングウィンドウ内の以前に割り当てたサブフレームの個数以上の値を有する。バンドリングウィンドウは、共通する確認応答のための一群のサブフレームを定める。
【０００６】
別の実施形態によれば、装置が、割り当てインデックスフィールドを再利用することにより、バンドリングウィンドウごとにサブフレームの１又はそれ以上を動的にスケジュールするように構成されたロジックを含む。割り当てインデックスフィールドは、バンドリングウィンドウ内の以前に割り当てたサブフレームの個数以上の値を有する。バンドリングウィンドウは、共通する確認応答のための一群のサブフレームを定める。
【０００７】
別の実施形態によれば、装置が、割り当てインデックスフィールドを再利用することにより、バンドリングウィンドウごとにサブフレームの１又はそれ以上を動的にスケジュールするための手段を含む。割り当てインデックスフィールドは、バンドリングウィンドウ内の以前に割り当てたサブフレームの個数以上の値を有する。バンドリングウィンドウは、共通する確認応答のための一群のサブフレームを定める。
【０００８】
別の実施形態によれば、方法が、リソースグラントの総数を判定するステップを含む。この方法はまた、受信したバンドリングウィンドウの割り当てインデックスフィールドの値をリソースグラントの総数と比較することにより、１又はそれ以上のリソースグラントが失われたかどうかを判定するステップも含む。割り当てインデックスフィールドを再利用して、バンドリングウィンドウを使用するリソースを動的にスケジューリングする。バンドリングウィンドウは、共通する確認応答のための一群のサブフレームを定める。
【０００９】
別の実施形態によれば、装置が、リソースグラントの総数を判定するとともに、受信したバンドリングウィンドウの割り当てインデックスフィールドの値をリソースグラントの総数と比較することにより、１又はそれ以上のリソースグラントが失われたかどうかを判定するように構成されたロジックを含む。割り当てインデックスフィールドを再利用して、バンドリングウィンドウを使用するリソースを動的にスケジューリングする。バンドリングウィンドウは、共通する確認応答のための一群のサブフレームを定める。
【００１０】
さらに別の実施形態によれば、装置が、リソースグラントの総数を判定するための手段を含む。この方法は、受信したバンドリングウィンドウの割り当てインデックスフィールドの値をリソースグラントの総数と比較することにより、１又はそれ以上のリソースグラントが失われたかどうかを判定するステップを含む。割り当てインデックスフィールドを再利用して、バンドリングウィンドウを使用するリソースを動的にスケジューリングする。バンドリングウィンドウは、共通する確認応答のための一群のサブフレームを定める。
【００１１】
本発明のさらに他の態様、特徴、及び利点は、本発明を実施するための最良の形態を含むいくつかの特定の実施形態及び実施構成を単純に例示することにより、以下の詳細な説明から容易に明らかになる。本発明は、その他の及び異なる実施形態を受け入れることもでき、そのいくつかの詳細を、全て本発明の思想及び範囲から逸脱することなく様々な明白な意味で修正することができる。したがって、図面及び説明は本質的に例示的なものとして見なすべきであり、限定的なものとして見なすべきではない。
【００１２】
添付図面の図では、本発明の実施形態を限定としてではなく例示として示す。
【図面の簡単な説明】
【００１３】
【図１Ａ】例示的な実施形態による、確認応答バンドリングを提供できる通信システムを示す図である。
【図１Ｂ】例示的な実施形態による、確認応答バンドリングプロセスのフロー図である。
【図２Ａ】様々な例示的な実施形態による、上記バンドリングに応じてダウンリンク割り当てインデックス（ＤＡＩ）フィールドを再利用するためのプロセスのフロー図である。
【図２Ｂ】様々な例示的な実施形態による、上記バンドリングに応じてダウンリンク割り当てインデックス（ＤＡＩ）フィールドを再利用するためのプロセスのフロー図である。
【図２Ｃ】様々な例示的な実施形態による例示的なダウンリンクバンドルウィンドウを示す図である。
【図３Ａ】様々な例示的な実施形態による、ダウンリンク割り当てインデックス（ＤＡＩ）フィールドを再利用するためのプロセスのフロー図である。
【図３Ｂ】様々な例示的な実施形態による、バンドルウィンドウ内の例示的な割り当てを示す図である。
【図４Ａ】本発明の様々な例示的な実施形態による、図１のシステムがリソース配分を実現するように動作できる、例示的なロングタームエボリューション（ＬＴＥ）及びＥ−ＵＴＲＡ（進化型ユニバーサル地上無線アクセス）のアーキテクチャを有する通信システムを示す図である。
【図４Ｂ】本発明の様々な例示的な実施形態による、図１のシステムがリソース配分を実現するように動作できる、例示的なロングタームエボリューション（ＬＴＥ）及びＥ−ＵＴＲＡ（進化型ユニバーサル地上無線アクセス）のアーキテクチャを有する通信システムを示す図である。
【図４Ｃ】本発明の様々な例示的な実施形態による、図１のシステムがリソース配分を実現するように動作できる、例示的なロングタームエボリューション（ＬＴＥ）及びＥ−ＵＴＲＡ（進化型ユニバーサル地上無線アクセス）のアーキテクチャを有する通信システムを示す図である。
【図４Ｄ】本発明の様々な例示的な実施形態による、図１のシステムがリソース配分を実現するように動作できる、例示的なロングタームエボリューション（ＬＴＥ）及びＥ−ＵＴＲＡ（進化型ユニバーサル地上無線アクセス）のアーキテクチャを有する通信システムを示す図である。
【図５】本発明の実施形態を実施するために使用できるハードウェアを示す図である。
【図６】本発明の実施形態による、図４Ａ〜図４Ｄのシステム内で動作するように構成されたユーザ端末の例示的な構成要素を示す図である。
【発明を実施するための形態】
【００１４】
確認応答バンドリングのための装置、方法、及びソフトウェアを開示する。以下の説明では、本発明の実施形態を完全に理解できるようにするために、説明の目的で数多くの具体的な詳細を示している。しかしながら、当業者には、これらの具体的な詳細を伴わずに、或いは同等の構成を使用して本発明の実施形態を実施できることが明らかである。その他の場合、本発明の実施形態を不必要に曖昧にしないために、周知の構造及び装置についてはブロック図の形で示している。
【００１５】
本発明の実施形態について、第３世代パートナーシッププロジェクト（３ＧＰＰ）ロングタームエボリューション（ＬＴＥ）アーキテクチャに準拠した無線ネットワークに関して説明するが、当業者には、本発明の実施形態をあらゆる種類の通信システム及び同等の機能にも適用できることが理解される。
【００１６】
図１Ａ及び図１Ｂはそれぞれ、例示的な実施形態による、確認応答バンドリングを実現できる通信システムを示す図、及び確認応答バンドリングプロセスを示すフロー図である。図１Ａに示すように、システム１００は、（３ＧＰＰ  ＬＴＥ（又はＥ−ＵＴＲＡＮ）などの）アクセスネットワーク（図示せず）の一部である基地局１０３と通信する１又はそれ以上のユーザ装置（ＵＥ）１０１を含む。（図４Ａ〜図４Ｄに示すように）３ＧＰＰ  ＬＴＥアーキテクチャでは、基地局１０３は拡張ノードＢ（ｅＮＢ）として示される。ある実施形態では、システム１００は、確認応答メカニズムを利用して、ＵＥ１０１とｅＮＢ１０３の間の正確かつタイムリーな情報交換を実現する。しかしながら、このような確認応答シグナリング（すなわち、肯定応答（ＡＣＫ）及び／又は否定応答（ＮＡＣＫ）の使用）はオーバーヘッドであり、正しく利用されなければネットワーク性能が低下する恐れがある。シグナリングのオーバーヘッドを最小限に抑えるために、システム１００は、確認応答情報をバンドルするためのスキームを採用する。１つの実施形態では、例えば、ダウンリンク割り当てインデックス（ＤＡＩ）フィールドを再利用することにより、バンドリングウィンドウごとのサブフレームの動的スケジューリングが実施される。このバンドル化した確認応答スキームをＤＡＩフィールド及びダウンリンクに関して説明するが、このようなスキームを他の同等のフィールド及び通信リンクにも応用できることが考えられる。本明細書では、ダウンリンクとは、ｅＮＢ１０３からＵＥ１０１へ向かう方向の通信を意味し、アップリンクとは、ＵＥ１０１からｅＮＢ１０３への通信を意味する。
【００１７】
ＵＥ１０１は、ハンドセット、端末、局、ユニット、装置、マルチメディアタブレット、インターネットノード、コミュニケータ、携帯情報端末（ＰＤＡ）又は（「ウェアラブル」回路などの）あらゆる種類のユーザ側インターフェイスなどのいずれの種類の移動局であってもよい。ＵＥ１０１は、送受信機１０５と、送受信機１０５に接続して基地局１０３からの信号を受信又は送信するためのアンテナシステム１０７とを含む。アンテナシステム１０７は、１又はそれ以上のアンテナを含むことができる。なお、本明細書では、例示の目的で３ＧＰＰの時分割複信（ＴＤＤ）モードについて説明するが、周波数分割複信（ＦＤＤ）などのその他のモードをサポートすることもできる。
【００１８】
ＵＥ１０１と同様に、基地局１０３は、ＵＥ１０１へ情報を送信する送受信機１０９を使用する。また、基地局１０３も、電磁信号を送信及び受信するための１又はそれ以上のアンテナ１１１を使用することができる。例えば、ノードＢ１０３は、マルチ入力マルチ出力（ＭＩＭＯ）アンテナシステム１１１を利用することができ、これによりノードＢ１０３は、マルチアンテナ送信及び受信機能をサポートすることができる。この構成は、独立したデータストリームの並列送信をサポートして、ＵＥ１０１とノードＢ１０３の間の高データレートを実現することができる。例示的な実施形態では、基地局１０３が、ダウンリンク（ＤＬ）送信スキームとしてＯＦＤＭ（直交周波数分割多重）を使用し、アップリンク（ＵＬ）送信スキームでは、（ＳＣ−ＦＤＭＡ（単一キャリア周波数分割多元接続）などの）巡回プレフィクスを含む単一キャリア送信を使用する。ＤＦＴ−Ｓ−ＯＦＤＭ原理を使用してＳＣ−ＦＤＭＡを実現することもでき、このことは、３ＧＰＰ  ＴＲ２５．８１４  第１．５．０版（この全体が引用により本明細書に組み入れられる）に、２００６年５月に「進化型ＵＴＲＡ用の物理層側面」という名称で詳述されており、このマルチユーザＳＣ−ＦＤＭＡとも呼ばれるＳＣ−ＦＤＭＡは、複数のユーザが異なるサブバンド上で同時に送信を行えるようにする。
【００１９】
１つの実施形態では、図１Ａのシステムが、ＭＢＳＦＮ（マルチメディアブロードキャスト単一周波数ネットワーク）においてＭＢＭＳ（マルチメディアブロードキャストマルチキャストサービス）サービスを提供する。通常、ＭＢＳＦＮは、他の隣接するＭＢＳＦＮ、又は同じ周波数で動作するユニキャストネットワークを有する。
【００２０】
ＵＥ１０１と基地局１０３の間の通信（ひいてはネットワーク）は、２つのエンティティ間で交換される制御情報により部分的に管理される。例示的な実施形態では、このような制御情報が、例えば基地局１０３からＵＥ１０１へのダウンリンク上の制御チャネルを介して伝送される。
【００２１】
一例として、システム１００で使用するためのいくつかの通信チャネルが定められる。チャネルタイプには、物理チャネル、トランスポートチャネル、及びロジックチャネルが含まれる。物理チャネルは、物理ダウンリンク共有チャネル（ＰＤＳＣＨ）、専用物理ダウンリンク専用チャネル（ＤＰＤＣＨ）、専用物理制御チャネル（ＤＰＣＣＨ）などを含むことができる。また、物理アップリンク制御チャネル（ＰＵＣＣＨ）が実現される。トランスポートチャネルは、無線インターフェイスを介してデータを転送する方法及びデータの特徴により定めることができる。トランスポートチャネルは、ブロードキャストチャネル（ＢＣＨ）、ページングチャネル（ＰＣＨ）、専用共有チャネル（ＤＳＣＨ）などを含む。その他の例示的なトランスポートチャネルには、アップリンク（ＵＬ）ランダムアクセスチャネル（ＲＡＣＨ）、共通パケットチャネル（ＣＰＣＨ）、順方向アクセスチャネル（ＦＡＣＨ）、ダウンリンク共有チャネル（ＤＬＳＣＨ）、アップリンク共有チャネル（ＵＳＣＨ）、ブロードキャストチャネル（ＢＣＨ）、及びページングチャネル（ＰＣＨ）がある。専用トランスポートチャネルは、ＵＬ／ＤＬ専用チャネル（ＤＣＨ）である。個々のトランスポートチャネルは、その物理的特性に基づいて１又はそれ以上の物理チャネルに対応付けられる。
【００２２】
個々のロジックチャネルは、これらが運ぶ情報の種類及び要求されるサービス品質（ＱｏＳ）により定めることができる。関連するロジックチャネルとして、例えば、ブロードキャスト制御チャネル（ＢＣＣＨ）、ページング制御チャネル（ＰＣＣＨ）、専用制御チャネル（ＤＣＣＨ）、共通制御チャネル（ＣＣＣＨ）、共有チャネル制御チャネル（ＳＨＣＣＨ）、専用トラフィックチャネル（ＤＴＣＨ）、共通トラフィックチャネル（ＣＴＣＨ）などが挙げられる。
【００２３】
ＢＣＣＨ（ブロードキャスト制御チャネル）をＢＣＨ及びＤＳＣＨの両方にマップすることができる。同様に、これをＰＤＳＣＨにマップし、Ｌ１／Ｌ２制御チャネル（ＰＤＣＣＨ）を使用することにより、時間周波数リソースを動的に配分することができる。この場合、ＢＣＣＨ（ブロードキャスト制御チャネル）−ＲＮＴＩ（無線ネットワークテンポラリ識別）を使用してリソース配分情報を識別する。
【００２４】
上述したように、ｅＮＢ１０３とＵＥ１０１の間の正確な情報の配信を確実にするために、システム１００は、ハイブリッドＡＲＱ（ＨＡＲＱ）などのエラー検出を利用して情報を交換する。ＨＡＲＱは、順方向誤り訂正（ＦＥＣ）符号化と自動再送要求（ＡＲＱ）プロトコルとを連結させたものである。自動再送要求（ＡＲＱ）とは、リンクレイヤ上で使用されるエラー検出メカニズムのことである。同様に、このエラー検出スキーム及び（ＣＲＣ（周期的冗長検査）などの）その他のスキームを、ｅＮＢ１０３及びＵＥ１０１内のエラー検出モジュール１１３及び１１５によりそれぞれ実行することができる。ＨＡＲＱメカニズムにより、（ＵＥ１０１などの）受信機が、パケット又はサブパケットが誤って受信したことを（ｅＮＢ１０３などの）送信機に示すことができるようになり、ひいては送信機に特定のパケットを再送するように要求する。
【００２５】
１つの実施形態によれば、１又はいくつかのＤＬサブフレームからのＡＣＫ／ＮＡＣＫが単一のＡＣＫ／ＮＡＣＫレポートに結合（全てのＡ／ＮのＡＮＤ動作を実行することにより「バンドル」）され、すでにＬＴＥのために定めた物理アップリンク制御チャネル（ＰＵＣＣＨ）フォーマットを再利用した（ＰＵＣＣＨフォーマット１ａ／１ｂ）場合、ＴＤＤにおけるダウンリンクハイブリッドＡＲＱ確認応答を単一のＡＣＫ／ＮＡＣＫフィードバックとして送信することができる。このＡＣＫ／ＮＡＣＫモードは、「ＡＮバンドリング」と呼ばれる。例えば、（構成５を除く）ＵＬ／ＤＬ構成のＡＮバンドリングに関して言えば、１つの実施構成は、（２ビットなどの）ダウンリンク割り当てインデックス（ＤＡＩ）フィールドを使用して、これをＤＣＩフォーマット１、１Ａ、１Ｂ、及び２に加えることである。例えば、スケジュール済みのＤＬサブフレームからＡＣＫ又はＮＡＣＫフィードバックを提供することができ、ここで前に割り当てたＤＡＩ値を最新の割り当てと比較して、割り当ての漏れを判定することができる。
【００２６】
ある実施形態では、ダウンリンク割り当てインデックスが、バンドリングウィンドウ内の以前に割り当てられたサブフレームの個数以上でなければならず、バンドリングウィンドウ内の最大動的割り当て数以下でなければならない。ＵＥ１０１は、最後に受信／検出された動的ＤＬ割り当てにおけるＣＣＥインデックス、及びサブフレーム番号を使用して、（ｉ）ＤＬ割り当ての漏れをチェックし、（ｉｉ）ＵＬ  ＡＣＫ／ＮＡＣＫ  ＰＵＣＣＨインデックスを決定することができる。さらに、ダウンリンク割り当てインデックスでは半永続的な割り当てはカウントされないようになっている。
【００２７】
ＤＡＩフィールドは、例えば２ビットまでに制約されることが認識されているが、動的にスケジュールできる１つのバンドリングウィンドウ内には最高９つのＤＬサブフレームが存在する。したがって、２ビットでは、バンドリングウィンドウ当たり１〜９個のＤＬサブフレームを完全にカバーすることができない。
【００２８】
いくつかの実施形態のバンドリング方法をより良く理解するために、教訓的に以下の３つの従来のメカニズムであるオプション１〜３について説明する。
【００２９】
オプション１では、２つのＤＡＩビットが、ＤＬサブフレームがバンドリングウィンドウ内の唯一のものであるか、最初のものであるか、最後のものであるか、又は最初のものでも最後のものでもない動的に割り当てられたものであるかを示す。ＵＥは、割り当てられたサブフレームが連続したものであると想定することができる。このオプションの難点は、連続的な時間領域のスケジューリングのみを実施し、これがパケット指向の無線アクセスシステムにおけるパケットスケジューラの柔軟性を大いに制限するという点である。したがって、性能が低下し複雑さが増す。さらに、これはその他のＵＬ／ＤＬ構成のために合意されたスキームとは対照的なものである。
【００３０】
オプション２では、部分的なサブフレームバンドリング及びＡＣＫ／ＮＡＣＫ多重化スキームが使用される。Ｘ個（Ｘ＞１）のバンドリングウィンドウに９個のＤＬサブフレーム（ＤｗＰＴＳを含む）が割り当てられる。個々のバンドリングウィンドウごとに、これらが単一のコードワードであるかどうかに関わらず、最大でも８個のＡＣＫ／ＮＡＣＫビットをともにバンドルすることができる。ＡＣＫ／ＮＡＣＫ多重化スキームを使用して、個々のバンドリングウィンドウに対応する複数のＡＣＫ／ＮＡＣＫビットを送信する。この方法の難点は、真のＡＮバンドリングスキームではなくマルチビットスキームであるということ、すなわち９個のＤＬ：１個のＵＬという構成にＡＮバンドリングによる解決法を提供するものではないという点である。
【００３１】
オプション３では、ｅＮＢが、バンドリングウィンドウ内のＵＥに最大４個のダウンリンクサブフレームを動的にスケジュールすることができる。（存在する場合）残りのダウンリンクリソースを、半永続的又はマルチキャスト割り当てによってカバーすることができる。ＭＢＳＦＮサブフレームでは、バンドリングウィンドウ内のユニキャストダウンリンクサブフレームをさらに減らすことができる。難点は、スケジューラが、動的スケジューリングからの性能利得を９個のＤＬサブフレーム全てに対して十分に活用できないという点である。また、各ユーザにリソースが事前に割り当てられており、数秒さらにはそれ以上などのある程度長い時間ごとにしか再割り当てできないので、周波数選択の利得が制限され／無くなり、リソースの利用効率が低くなるため、半永続的スケジューリングに伴って性能の劣化が生じることが予想される。
【００３２】
図１Ｂに示すように、システム１００の方法ではスケジューラ１１７に完全な柔軟性が認められ、他のＵＬ／ＤＬ構成のために合意された２ビットのＤＡＩを再利用する（すなわち、ＤＡＩの長さを増加させない）ことにより、ステップ１３１のように、例えばバンドリングウィンドウ当たり９個のＤＬサブフレームをいずれも動的にスケジュールすることができる。しかも、ＵＥ１０１からすれば、このようなメカニズムは採用しやすいはずである。さらに、バンドリングメカニズムに関連する時間的相関関係を無相関化するためにインターリービングを使用する（ステップ１３３）。例示的な実施形態では、このプロセスが、対応する確認応答バンドリングロジック１１９、１２１を使用して、ｅＮＢ１０３をＵＥ１０１と連動させることにより行われる。さらに、確認応答バンドリングロジック１１９、１２１の各々が、インターリーバ／デインターリーバ１２３、１２５を使用することができる。
【００３３】
図２Ａ〜図２Ｃ及び図３Ａ及び図３Ｂにそれぞれ示すように、方法１及び方法２という２つの方法を提供する。方法１では（図２Ａ〜図２Ｃに詳述）、スケジューラのＤＬサブフレームの数を２ビットのＤＡＩにラップアラウンドし、スケジュール済みのサブフレームごとにこの値を更新する。方法２では（図３Ａ及び３Ｂに詳述）、プロセスが、バンドリングウィンドウ内のサブフレームに少なくとも２つのサブフレームが動的に割り当てられるかどうかを示すためのブール値をＫとして、（Ｃｅｉｌ（Ｃｏｕｎｔｅｒ／２）＋Ｋ）  ｍｏｄｕｌｏ  ４を使用する。換言すれば、バンドリングウィンドウ内の次のサブフレームに動的に割り当てられるサブフレームが０個又は１個存在する場合にはＫ＝０、それ以外はＫ＝１である。カウンタは、スケジューラのＤＬサブフレームの数であり、サブフレームごとに更新される。
【００３４】
ある実施形態によれば、これらのプロセスは、受信した連続するＰＤＣＣＨの時間的無相関化を生じるインターリービング法を組み入れることができる。インターリーブを行うと、インターリーバマップが、ＰＤＣＣＨエラーが相関している可能性のある標準的なパターンを破棄する。
【００３５】
図２Ａ〜図２Ｃは、様々な例示的な実施形態による、これに応じてダウンリンク割り当てインデックス（ＤＡI）フィールドを再利用するためのプロセスを示すフロー図及び例示的なダウンリンクバンドルウィンドウを示す図である。この（図２Ａに示すような）方法１の実施形態では、このＤＡＩ定義を他のＵＬ／ＤＬ構成に対して単純に拡張することができる。ステップ２０１において、プロセスがＤＡＩフィールドを初期化する。次に、ステップ２０３に示すように、スケジューラのダウンリンク（ＤＬ）サブフレームの数をＤＡＩフィールドにラップアラウンドする。カウンタ「ｍ」を利用して、スケジュール済みのＤＬサブフレームの数をカウントし、「ｍ」を個々のサブフレーム内で更新する。すなわち、ステップ２０５に示すように、スケジュール済みのサブフレームごとにＤＡＩフィールドが更新される。
【００３６】
したがって、（図２Ｂに示すように）ｅＮＢ側から見れば、ステップ２１１において、ＤＡＩフィールドが、ｍ（ｍｏｄｕｌｏ）ｘ（ｍ及びｘは整数）、例えばｍ  ＭＯＤ  ４に基づいて設定される。ＵＥ側から見れば、ステップ２１３において、ＵＥ１０１は、最後に受信したＤＬグラントにおけるＤＡＩの値  ＭＯＤ  ４を、バンドリングウィンドウ内の最後に受信したＤＬグラントよりも前のＤＬグラントの総受信数（すなわち、最後の受信ＤＬグラントを含まない）  ＭＯＤ  ４と比較して、何らかの（単複の）グラントが失われたかどうかを検出し、比較が等しい場合又は等しくない場合に、それぞれＡＮ又はＤＴＸ（データ送信）を送信する。ＵＥ１０１が、同じバンドリングウィンドウ内で少なくとも２つの同じ（同一の）ＤＡＩ値を受信した場合、最後に受信したＤＡＩの値に「４」を加算すべきである（ステップ２１５）。
【００３７】
図２Ｃは、ＤＬバンドルウィンドウ２２０の例を示しており、バンドルウィンドウ＃１が、サブフレーム１、５、及び８に対応するＤＡＩ値を指定する。すなわち、３つの割り当てが与えられる。バンドルウィンドウ＃２は、サブフレーム２〜６、７、及び９に対応するＤＡＩ値、すなわち６つの割り当てを与える。
【００３８】
ある実施形態によれば、上記プロセスは、他のＵＬ／ＤＬ構成に対応するための比較的単純な方法を提供するものであり、（規格及び実施構成の両観点から）これを他の全ての構成のＡＮバンドリングの最上位に容易に追加することができる。しかも、スケジューラ１１７には制限が課せられない。
【００３９】
なお、例えばＵＥが４つの連続するＤＬグラントを失った場合、ＤＴＸ−＞ＡＣＫの問題が生じる恐れがある。実際にはこのような場合が生じる可能性はかなり低いが、このエラーが生じる恐れがあり性能損失を「容認できない」とｅＮＢ１０３が予測した場合、ｅＮＢ１０３は、（前述したような）従来のオプション３に自由かつ動的に「後退」して、このようなエラーケースを完全に避けることができる。すなわち、この方法は、方法１とオプション３の間の「自由かつ動的な切り替え」を実現する。
【００４０】
図３Ａ及び図３Ｂはそれぞれ、様々な例示的な実施形態による、ダウンリンク割り当てインデックス（ＤＡＩ）フィールドを再利用するためのプロセスを示すフロー図、及びバンドルウィンドウ内の例示的な割り当てを示す図である。この実施形態では、ステップ３０１に示すように、ｅＮＢ１０３が、個々の割り当てごとにＤＡＩに（Ｃｅｉｌ（ｎ／２）＋Ｋ）  ｍｏｄ  ４のようなラベル付けを行い、この場合、ｎは、バンドリングウィンドウ内の以前にスケジュールされた割り当ての数であり、（前述したように）Ｋは、バンドリングウィンドウ内の次のサブフレーム内で０／１個のサブフレームがスケジュールされるか（Ｋ＝０）、或いは少なくとも２個のサブフレームがスケジュールされるか（Ｋ＝１）を示すためのブール値である。
【００４１】
ステップ３０３において、ＵＥ１０１は、ｓｕｍ＿ＤＡＩ＿２  ｌａｓｔ＿ｒｅｃｅｉｖｅｄ＿ａｓｓｉｇｎｍｅｎｔｓ  ｍｏｄ  ４と、ｎｕｍｂｅｒ＿ｏｆ＿ａｓｓｉｇｎｍｅｎｔｓ＿ｂｅｆｏｒｅ＿ｌａｓｔ＿ｒｅｃｅｉｖｅｄ＿ａｓｓｉｇｎｍｅｎｔ  ｍｏｄ  ４という２つの値を比較する。（ステップ３０５において判定した）２つの値が同じである場合、ＵＥ１０１はＡＮを送信する（ステップ３０７）。同じでなければ、ＵＥ１０１は、ステップ３０９においてＤＴＸを送信する。
【００４２】
図３Ｂは、単一のバンドル内の様々な割り当て３２０の例を示している。この例では、１つのバンドル内に９個のダウンリンクサブフレームを提供することができる。
【００４３】
ある実施形態によれば、上記プロセスがスケジューラ１１７に制限を課すことはない。また、エラーケース又は偽エラー（ｆａｌｓｅ  ｅｒｒｏｒ）の可能性もない。なお、ｅＮＢ１０３は、少なくとも２サブフレーム先のスケジューリング決定を「事前推定」する必要がある。５サブフレームにわたる半永続的スケジューリングという意味は、実際のところｅＮＢ１０３が２サブフレームよりも先のスケジューリング決定を「事前推定」すべきであるということなので、上記の事項は、従来のオプション３と比較した場合、それほど制限的な要件ではない。
【００４４】
説明したように、図２Ａ〜図２Ｃ及び図３Ａ及び図３Ｂのプロセスとともにインターリービングプロセスを使用することができる。すなわち、インターリーバマップが時間的相関の無相関化を行う。１つの例では、（インターリーバ１２３、１２５などの場合）５列×２行のブロックインターリーバを利用することができる。インターリーバ１２５にデータを挿入する場合、データは１行ずつ書き込まれ、出力は１列ずつ読み出される。最大限の無相関化を確実にするために、インターリーバマトリクスの第１の要素が「ダミー」値で満たされ、これはマトリクスからの読み取りの際に無視される。このようにする理由は、通常、このＴＤＤ構成では、送信するＰＤＣＣＨが９個存在するからである。基本的には、このインターリーバマップを使用して、｛１，２，３，４，５，６，７，８，９｝というシーケンスを｛５，１，６，２，７，３，８，４，９｝というシーケンスにマップすることができ、この場合、連続するＰＤＣＣＨ「カウンタ」間の距離は観察の時間に応じて４又は５になることが分かる。なお、このようなインターリーバ要素を導入すると、（インターリーバの結果、サブフレーム５のＤＡＩシグナリング値をサブフレーム１に含めて送信する必要があるので）５サブフレーム先のスケジューリング決定を行う必要が生じる。時間的無相関化を使用すれば、偽陽性の可能性が低くなる。なお、インターリービングを使用すると、最大５サブフレームを事前推定することが必要となり得ることにより、いくつか先のスケジューリングが必要となる（サブフレーム５の正確な値をシグナリングする必要があるので、サブフレーム１〜４を決定することも必要となる）。
【００４５】
ある実施形態では、次に説明するように、上述したプロセスを、３ＧＰＰにおけるＵＭＴＳ地上無線アクセスネットワーク（ＵＴＲＡＮ）又は進化型ＵＴＲＡＮ（Ｅ−ＵＴＲＡＮ）内で実行することができる。
【００４６】
図４Ａ〜図４Ｄは、本発明の様々な例示的な実施形態による、図１Ａのユーザ装置（ＵＥ）及び基地局が動作できる例示的なロングタームエボリューション（ＬＴＥ）アーキテクチャを有する通信システムを示す図である。（図４Ａに示す）例として、（宛先ノードなどの）基地局及び（ソースノードなどの）ユーザ装置（ＵＥ）は、時分割多元接続（ＴＤＭＡ）、符号分割多元接続（ＣＤＭＡ）、広帯域符号分割多元接続（ＷＣＤＭＡ）、直交周波数分割多元接続（ＯＦＤＭＡ）又は単一キャリア周波数分割多元接続（ＦＤＭＡ）（ＳＣ−ＦＤＭＡ）又はこれらの組み合わせなどのいずれかのアクセススキームを使用してシステム４００内で通信することができる。例示的な実施形態では、アップリンク及びダウンリンク双方がＷＣＤＭＡを利用することができる。別の例示的な実施形態では、アップリンクがＳＣ−ＦＤＭＡを利用し、ダウンリンクがＯＦＤＭＡを利用する。
【００４７】
通信システム４００は、「３ＧＰＰ無線技術のロングタームエボリューション」という名称の３ＧＰＰ  ＬＴＥに準拠しており、該文献はその全体が引用により本明細書に組み入れられる。図４Ａに示すように、１又はそれ以上のユーザ装置（ＵＥ）は、（ＷｉＭＡＸ（ワールドワイド・インターオペラビリティ・フォー・マイクロウェーブ・アクセス）、３ＧＰＰ  ＬＴＥ（又は、Ｅ−ＵＴＲＡＮ）のような）アクセスネットワークの一部である基地局１０３などのネットワーク装置と通信する。３ＧＰＰ  ＬＴＥアーキテクチャでは、基地局１０３は拡張ノードＢ（ｅＮＢ）として示される。
【００４８】
ＭＭＥ（モバイル管理エンティティ）／サービングゲートウェイ４０１は、（インターネットプロトコル（ＩＰ）ネットワークなどの）パケットトランスポートネットワーク４０３を介したトンネリングを使用して完全な又は部分的なメッシュ構成でｅＮＢ１０３に接続される。ＭＭＥ／サービングＧＷ４０１の例示的な機能として、ｅＮＢ１０３へのページングメッセージの配布、ページング理由によるＵプレーンパケットの終了、及びＵＥのモビリティをサポートするためのＵプレーンの切り替えが挙げられる。ＧＷ４０１は、インターネット又はプライベートネットワーク４０３などの外部ネットワークへのゲートウェイとして機能するので、このＧＷ４０１は、ユーザの識別及び特権をセキュアに判断し、個々のユーザの行動を追跡するためのアクセス、許可及び課金システム（ＡＡＡ）４０５を含む。すなわち、ＭＭＥサービングゲートウェイ４０１は、ＬＴＥアクセスネットワークのための主要な制御ノードであり、再送信を含むアイドルモードＵＥ追跡及びページング手順を担う。また、ＭＭＥ４０１は、ベアラの起動／停止プロセスにも関与し、最初の取り付け時及びコアネットワーク（ＣＮ）ノードの再配置を含むイントラＬＴＥのハンドオーバー時にＵＥのためのＳＧＷ（サービングゲートウェイ）を選択する役割を担う。
【００４９】
ＬＴＥインターフェイスのより詳細な説明は、ＧＰＰ  ＴＲ２５．８１３に「Ｅ−ＵＴＲＡ及びＥ−ＵＴＲＡＮ：無線インターフェイスプロトコルの態様」という名称で記載されており、該文献はその全体が引用により本明細書に組み入れられる。
【００５０】
図４Ｂでは、通信システム４０２が、ＧＥＲＡＮ（ＧＳＭ／ＥＤＧＥ無線アクセス）４０４、及びＵＴＲＡＮ４０６ベースのアクセスネットワーク、Ｅ−ＵＴＲＡＮ４１２及び非３ＧＰＰ（図示せず）ベースのアクセスネットワークをサポートし、このシステムはＴＲ２３．８８２により完全に記載されており、該文献はその全体が引用により本明細書に組み入れられる。このシステムの重要な機能は、制御プレーン機能（ＭＭＥ４０８）を実行するネットワークエンティティを、ベアラプレーン機能（サービングゲートウェイ４１０）を実行するネットワークエンティティから、これらの間の明確なオープンインターフェイスＳ１１を使用して分離することである。Ｅ−ＵＴＲＡＮ４１２が高帯域幅を提供して、新たなサービスを可能にするとともに既存のサービスを向上させるので、ＭＭＥ４０８をサービングゲートウェイ４１０から分離するということは、サービングゲートウェイ４１０がシグナリングトランザクションのために最適化されたプラットフォームに基づくことができるということを示唆する。このスキームは、これら２つの要素の各々のためのよりコスト効率の良いプラットフォームを選択するとともに、これらの要素を独立してスケーリングできるようにする。サービスプロバイダは、最適帯域幅の待ち時間を減少させて障害発生点が集中するのを防ぐために、ＭＭＥ４０８の位置に依存しないネットワーク内のサービングゲートウェイ４１０の最適な位相位置を選択することもできる。
【００５１】
図４Ｂに示すように、（ｅＮＢなどの）Ｅ−ＵＴＲＡＮ４１２はＬＴＥ−Ｕｕを介してＵＥ１０１にインターフェイス接続する。Ｅ−ＵＴＲＡＮ４１２は、ＬＴＥエアーインターフェイスをサポートし、制御プレーンＭＭＥ４０８に対応する無線リソース制御（ＲＲＣ）機能のための機能を含む。Ｅ−ＵＴＲＡＮ４１２はまた、無線リソース管理、アドミッション制御、スケジューリング、ネゴシエート済みアップリンク（ＵＬ）ＱｏＳ（サービス品質）の実施、セル情報のブロードキャスト、ユーザの暗号化／解読、ダウンリンク及びアップリンクユーザプレーンパケットヘッダの圧縮／解凍及びパケットデータ収束プロトコル（ＰＤＣＰ）を含む様々な機能も実行する。
【００５２】
ＭＭＥ４０８は、主要な制御ノードとして、モビリティＵＥのアイデンティティ及びセキュリティパラメータを管理し、再送信を含む手順をページングする役割を担う。ＭＭＥ４０８は、ベアラの起動／停止プロセスに関与し、ＵＥ１０１のためのサービングゲートウェイ４１０を選択する役割も担う。ＭＭＥ４０８の機能は、ノンアクセスストラタム（ＮＡＳ）シグナリング及び関連するセキュリティを含む。ＭＭＥ４０８は、ＵＥ１０１がサービスプロバイダの公衆陸上移動体ネットワーク（ＰＬＭＮ）に居座るための許可をチェックし、ＵＥ１０１のローミング規制を実施する。ＭＭＥ４０８はまた、ＭＭＥ４０８で終端するＳＧＳＮ（サービングＧＰＲＳサポートノード）４１４からのＳ３インターフェイスを用いて、ＬＴＥと２Ｇ／３Ｇアクセスネットワークとの間のモビリティのための制御プレーン機能も提供する。
【００５３】
ＳＧＳＮ４１４は、その地理的サービスエリア内の移動局との間でデータパケットを配信する役割を担う。このタスクは、パケットのルーティング及び転送、モビリティ管理、論理リンク管理、及び認証及び課金機能を含む。Ｓ６ａインターフェイスは、進化型システムへのユーザアクセス（ＡＡＡインターフェイス）を認証／許可するための加入及び認証データを、ＭＭＥ４０８とＨＳＳ（ホーム加入者サーバ）４１６との間で転送できるようにする。ＭＭＥ４０８間のＳ１０インターフェイスは、ＭＭＥの再配置及びＭＭＥ４０８からＭＭＥ４０８への情報転送を行う。サービングゲートウェイ４１０は、Ｓ１−Ｕを介してＥ−ＵＴＲＡＮ４１２へ向かうインターフェイスを終端するノードである。
【００５４】
Ｓ１−Ｕインターフェイスは、Ｅ−ＵＴＲＡＮ４１２とサービングゲートウェイ４１０の間にパーベアラユーザプレーントンネリングを提供する。このインターフェイスは、ハンドオーバー中のｅＮＢ４３間の経路切り替えのためのサポートを含む。Ｓ４インターフェイスは、ＳＧＳＮ４１４とサービングゲートウェイ４１０の３ＧＰＰアンカー機能との間の関連制御及びモビリティサポートをユーザプレーンに提供する。
【００５５】
Ｓ１２は、ＵＴＲＡＮ４０６とサービングゲートウェイ４１０の間のインターフェイスである。パケットデータネットワーク（ＰＤＮ）ゲートウェイ４１８は、ＵＥ１０１のためのトラフィックの出口及び入口ポイントとなることにより、ＵＥ１０１に外部パケットデータネットワークへの接続を提供する。ＰＤＮゲートウェイ４１８は、ポリシーの実施、各ユーザのためのパケットフィルタリング、サポートの課金、合法的傍受及びパケットスクリーニングを行う。ＰＤＮゲートウェイ４１８の別の役割は、ＷｉＭａｘと３ＧＰＰ２（ＣＤＭＡ１Ｘ及びＥｖＤＯ（エボリューションデータのみ））などの３ＧＰＰと非３ＧＰＰ技術の間のモビリティのためのアンカーとして動作することである。
【００５６】
Ｓ７インターフェイスは、ＰＣＲＦ（ポリシー及び課金役割機能）からＰＤＮゲートウェイ４１８におけるポリシー及び課金実施機能（ＰＣＥＦ）へＱｏＳポリシー及び課金規則を転送できるようにする。ＳＧｉインターフェイスは、ＰＤＮゲートウェイと、パケットデータネットワーク４２２を含む事業者のＩＰサービスとの間のインターフェイスである。パケットデータネットワーク４２２は、例えばＩＭＳ（ＩＰマルチメディアサブシステム）サービスを提供するための、事業者外の公的又は私的パケットデータネットワーク、或いは事業者間パケットデータネットワークとすることができる。Ｒｘ＋は、ＰＣＲＦとパケットデータネットワーク４２２の間のインターフェイスである。
【００５７】
図４Ｃに示すように、ｅＮＢ４３は、Ｅ−ＵＴＲＡ（進化型ユニバーサル地上無線アクセス）（ＲＬＣ（無線リンク制御）４１５などのユーザプレーン、ＭＡＣ（メディアアクセス制御）４１７、及びＰＨＹ（物理）４１９、並びに（ＲＲＣ４２１などの）制御プレーン）を利用する。ｅＮＢ４３はまた、インターセルＲＲＭ（無線リソース管理）４２３、接続モビリティ制御４２５、ＲＢ（無線ベアラ）制御４２７、無線アドミッション制御４２９、ｅＮＢ測定構成及び配備４３１、及び動的リソース配分（スケジューラ）４３３の機能も含む。
【００５８】
ｅＮＢ４３は、Ｓ１インターフェイスを介してａＧＷ４０１（アクセスゲートウェイ）と通信する。ａＧＷ４０１は、ユーザプレーン４０１ａ及び制御プレーン４０１ｂを含む。制御プレーン４０１ｂは、ＳＡＥ（システムアーキテクチャエボリューション）ベアラ制御４３５及びＭＭ（モバイル管理）エンティティ４３７という構成要素を提供する。ユーザプレーン４０１ｂは、ＰＤＣＰ（パケットデータ収束プロトコル）４３９及びユーザプレーン機能４４１を含む。なお、サービングゲートウェイ（ＳＧＷ）とパケットデータネットワーク（ＰＤＮ）ＧＷとの組み合わせによってａＧＷ４０１の機能を実現することもできる。ａＧＷ４０１は、インターネット４４３などのパケットネットワークにインターフェイス接続することができる。
【００５９】
代替の実施形態では、図４Ｄに示すように、ＰＤＣＰ（パケットデータ収束プロトコル）機能が、ＧＷ４０１ではなくｅＮＢ４３内に存在することができる。このＰＤＣＰ機能以外は、このアーキテクチャにおいても図４ＣのｅＮＢ機能が実現される。
【００６０】
図４Ｄのシステムでは、Ｅ−ＵＴＲＡＮとＥＰＣ（進化型パケットコア）の間の機能分割が実現される。この例では、ユーザプレーン及び制御プレーンのためにＥ−ＵＴＲＡＮの無線プロトコルアーキテクチャが実現される。このアーキテクチャのより詳細な３つの説明は、ＧＰＰ  ＴＳ８６．３００で行われている。
【００６１】
ｅＮＢ４３は、モビリティアンカリング機能４４７を含むサービングゲートウェイ４４５にＳ１を介してインターフェイス接続する。このアーキテクチャによれば、ＭＭＥ（モビリティ管理エンティティ）４４９は、ＳＡＥ（システムアーキテクチャエボリューション）ベアラ制御４５１、アイドル状態モビリティ処理４５３、及びＮＡＳ（ノンアクセスストレイタム）セキュリティ４５５を提供する。
【００６２】
当業者であれば、確認応答バンドリングのためのプロセスを、ソフトウェア、（汎用プロセッサ、デジタル信号処理（ＤＳＰ）チップ、特定用途向け集積回路（ＡＳＩＣ）、フィールドプログラマブルゲートアレイ（ＦＰＧＡ）などの）ハードウェア、ファームウェア、又はこれらの組み合わせによって実現できることを理解するであろう。以下、説明した機能を実行するためのこのような例示的なハードウェアについて詳述する。
【００６３】
図５は、本発明の様々な実施形態を実施できる例示的なハードウェアを示している。コンピュータシステム５００は、バス５０１、又は情報を伝達するためのその他の通信メカニズム、及び情報を処理するための、バス５０１に接続されたプロセッサ５０３を含む。コンピュータシステム５００はまた、ランダムアクセスメモリ（ＲＡＭ）又はその他の動的記憶装置などの、プロセッサ５０３により実行される情報及び命令を記憶するための、バス５０１に接続されたメインメモリ５０５も含む。メインメモリ５０５を使用して、プロセッサ５０３による命令の実行中に一時変数又はその他の中間情報を記憶することもできる。コンピュータシステム５００は、プロセッサ５０３のための静的情報及び命令を記憶するための、バス５０１に接続された読み出し専用メモリ（ＲＯＭ）５０７又はその他の静的記憶装置をさらに含むことができる。バス５０１には、磁気ディスク又は光ディスクなどの、情報及び命令を永続的に記憶するための記憶装置５０９が接続される。
【００６４】
コンピュータシステム５００は、液晶ディスプレイ又はアクティブマトリクスディスプレイなどの、ユーザに情報を表示するためのディスプレイ装置５１１にバス５０１を介して接続することができる。バス５０１には、英数字及びその他のキーを含むキーボードなどの、プロセッサ５０３に情報及びコマンド選択を伝達するための入力装置５１３を接続することもできる。入力装置５１３は、マウス、トラックボール、又はカーソル方向キーなどの、方向情報及びコマンド選択をプロセッサ５０３に伝達するとともにディスプレイ５１１上のカーソルの動きを制御するためのカーソル制御を含むことができる。
【００６５】
本発明の様々な実施形態によれば、本明細書で説明したプロセスを、メインメモリ５０５に含まれる命令の構成を実行するプロセッサ５０３に応答してコンピュータシステム５００により実現することができる。このような命令を、記憶装置５０９などの別のコンピュータ可読媒体からメインメモリ５０５に読み込むことができる。メインメモリ５０５に含まれる命令の構成を実行することにより、プロセッサ５０３が、本明細書で説明したプロセスステップを実行できるようになる。マルチ処理構成の形の１又はそれ以上のプロセッサを使用して、メインメモリ５０５に含まれる命令を実行することもできる。代替の実施形態では、ソフトウェア命令の代わりに又はソフトウェア命令と組み合わせて配線回路を使用して、本発明の実施形態を実施することができる。別の例では、フィールドプログラマブルゲートアレイ（ＦＰＧＡ）などの再構成可能ハードウェアを使用することができ、通常、メモリルックアップテーブルをプログラムすることにより、このハードウェアのロジックゲートの機能及び接続トポロジーをランタイムでカスタマイズすることができる。したがって、本発明の実施形態は、ハードウェア回路とソフトウェアのいずれかの特定の組み合わせに限定されるものではない。
【００６６】
コンピュータシステム５００はまた、バス５０１に接続された少なくとも１つの通信インターフェイス５１５も含む。通信インターフェイス５１５は、ネットワークリンク（図示せず）への双方向データ通信接続を実現する。通信インターフェイス５１５は、様々な種類の情報を表すデジタルデータストリームを運ぶ電気信号、電磁信号、又は光信号を送信及び受信する。さらに、通信インターフェイス５１５は、ユニバーサルシリアルバス（ＵＳＢ）インターフェイス、ＰＣＭＣＩＡ（パーソナルコンピュータメモリカードインターナショナルアソシエーション）インターフェイスなどの周辺インターフェイス装置を含むことができる。
【００６７】
プロセッサ５０３は、受信中に送信コードを実行することができ、及び／又はこのコードを後で実行できるように記憶装置５０９又は他の不揮発性記憶装置に記憶することができる。このようにして、コンピュータシステム５００は、アプリケーションコードを搬送波の形で取得することができる。
【００６８】
本明細書で使用する「コンピュータ可読媒体」という用語は、プロセッサ５０３に実行用の命令を提供することに関与するあらゆる媒体を意味する。このような媒体は、以下に限定されるわけではないが、不揮発性媒体、揮発性媒体、及び送信媒体を含む多くの形をとることができる。不揮発性媒体は、例えば記憶装置５０９などの光又は磁気ディスクを含む。揮発性媒体は、メインメモリ５０５などの動的メモリを含む。送信媒体は、同軸ケーブル、銅線及び光ファイバを含み、これにはバス５０１を含む配線が含まれる。送信媒体はまた、無線周波数（ＲＦ）データ通信及び赤外線（ＩＲ）データ通信中に生成されるような音波、光波、又は電磁波の形をとることもできる。一般的なコンピュータ可読媒体の形として、例えば、フロッピー（登録商標）ディスク、フレキシブルディスク、ハードディスク、磁気テープ、その他のあらゆる磁気媒体、ＣＤ−ＲＯＭ、ＣＤＲＷ、ＤＶＤ、その他のあらゆる光媒体、パンチカード、紙テープ、光マークシート、穴又はその他の光学的に認識できる印のパターンを有するその他のあらゆる物理媒体、ＲＡＭ、ＰＲＯＭ、及びＥＥＰＲＯＭ、フラッシュＥＰＲＯＭ、その他のあらゆるメモリチップ又はカートリッジ、搬送波、又はコンピュータが読み取ることができる他のあらゆる媒体が挙げられる。
【００６９】
プロセッサに実行用の命令を提供することには、様々な形のコンピュータ可読媒体が関与することができる。例えば、本発明の少なくとも一部を実施するための命令を、最初に遠隔コンピュータの磁気ディスクで運ぶことができる。このようなシナリオでは、遠隔コンピュータが命令をメインメモリにロードし、モデムを使用し電話回線を介して命令を送信する。ローカルシステムのモデムが電話回線でデータを受信し、赤外線送信機を使用して、このデータを赤外線信号に変換し、この赤外線信号を携帯情報端末（ＰＤＡ）又はラップトップなどのポータブルコンピュータ装置へ送信する。ポータブルコンピュータ装置の赤外線検出器が、赤外線信号によって運ばれた情報及び命令を受信し、バスにデータを載せる。バスは、メインメモリにデータを運び、ここからプロセッサが命令を取り出して実行する。任意に、プロセッサによる実行の前又は後に、メインメモリが受け取った命令を記憶装置に記憶することもできる。
【００７０】
図６は、本発明の実施形態による、図４Ａ〜図４Ｄのシステムで動作するように構成されたユーザ端末の例示的な構成要素を示す図である。ユーザ端末６００は、信号を受信及び送信するための（複数のアンテナを利用できる）アンテナシステム６０１を含む。アンテナシステム６０１は、複数の送信機６０５及び受信機６０７を含む無線回路６０３に接続される。この無線回路には、無線周波数（ＲＦ）回路及びベースバンド処理回路が全て含まれる。図示のように、ユニット６０９及び６１１により、レイヤ１（Ｌ１）及びレイヤ２（Ｌ２）の処理がそれぞれ実現される。任意に、レイヤ３の機能を実現することもできる（図示せず）。モジュール６１３は、全ての媒体アクセス制御（ＭＡＣ）レイヤ機能を実行する。タイミング及び較正モジュール６１５は、例えば外部のタイミング基準（図示せず）にインターフェイス接続することにより、正しいタイミングを保持する。また、プロセッサ６１７も含まれる。このシナリオでは、ユーザ端末６００が、パーソナルコンピュータ、ワークステーション、携帯情報端末（ＰＤＡ）、ウェブアプライアンス、携帯電話などであることができるコンピュータ装置６１９と通信する。
【００７１】
いくつかの実施形態及び実施構成と併せて本発明について説明したが、本発明はこのように限定されるものではなく、添付の特許請求の範囲に含まれる様々な明白な変更及び同等の構成も範囲とする。本発明の特徴を請求項間のいくつかの組み合わせの形で表現しているが、これらの特徴をあらゆる組み合わせ及び順序で構成できることを意図している。
【符号の説明】
【００７２】
３０１  ｅＮＢが、（Ｃｅｉｌ（ｎ／２）＋Ｋ）  ｍｏｄｕｌｏ  ４に基づいて個々の割り当てごとにＤＡＩにラベル付け
３０３  ＵＥが、最後に受信した割り当てのＤＡＩの値を最後に受信した割り当てよりも前の割り当てと比較
３０５  値は同じか？
３０７  ＵＥがＡＮを送信
３０９  ＵＥがＤＴＸを送信
【図１Ａ】
0005425901.tif 000002
【図１Ｂ】
0005425901.tif 000003
【図２Ａ】
0005425901.tif 000004
【図２Ｂ】
0005425901.tif 000005
【図２Ｃ】
0005425901.tif 000006
【図３Ａ】
0005425901.tif 000007
【図３Ｂ】
0005425901.tif 000008
【図４Ａ】
0005425901.tif 000009
【図４Ｂ】
0005425901.tif 000010
【図４Ｃ】
0005425901.tif 000011
【図４Ｄ】
0005425901.tif 000012
【図５】
0005425901.tif 000013
【図６】
0005425901.tif 000014